【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
互換性のないシステム内で可変レートボコーダフレームの伝送を支援する装置であって、受信した可変レートボコーダフレームのフレームタイプを識別し、フレームタイプにしたがって、受信した可変レートボコーダフレームのビットを順序変更し、順序変更されたビットを使用して、フレームタイプにしたがって、マルチレートボコーダフレームを組立てるように構成されたインフラストラクチャ素子を含み、
インフラストラクチャ素子が、不活動のビットパターンをマルチレートボコーダフレームへ挿入するようにも構成され、不活動のビットパターンがフレームタイプと関係付けられている装置。
【請求項２】
互換性のないシステム内で可変レートボコーダフレームの伝送を支援する装置であって、受信した可変レートボコーダフレームのフレームタイプを識別し、フレームタイプにしたがって、受信した可変レートボコーダフレームのビットを順序変更し、順序変更されたビットを使用して、フレームタイプにしたがって、マルチレートボコーダフレームを組立てるように構成されたインフラストラクチャ素子を含み、
インフラストラクチャ素子が、フレームタイプと関係付けられたモードインデックスを使用して、マルチレートボコーダフレームを形成することによって、マルチレートボコーダフレームを組立てるようにも構成されている装置。
【請求項３】
インフラストラクチャ素子が、不活動のビットパターンをマルチレートボコーダフレームへ挿入することによって、マルチレートボコーダフレームを組立てるようにも構成されている請求項２記載の装置。
【請求項４】
インフラストラクチャ素子が、各予測フレームタイプを１つのモードインデックスと関係付けることによって、マルチレートボコーダフレームを組立てるようにも構成されている請求項２記載の装置。
【請求項５】
互換性のないシステム内で可変レートボコーダフレームの伝送を支援する装置であって、受信した可変レートボコーダフレームのフレームタイプを識別し、フレームタイプにしたがって、受信した可変レートボコーダフレームのビットを順序変更し、順序変更されたビットを使用して、マルチレートボコーダフレームを組立てるように構成されたインフラストラクチャ素子を含み、
インフラストラクチャ素子が、不活動のビットパターンをマルチレートボコーダフレームへ挿入することによって、マルチレートボコーダフレームを組立てるようにも構成されている装置。
【請求項６】
互換性のないシステム内で可変レートボコーダフレームを支援する装置であって、
受信したマルチレートボコーダフレームを復調する復調サブシステムと、
復調されたマルチレートボコーダフレームが可変レートボコーダフレームをカーゴとして保持しているかどうかを判断するシステム弁別器であって、モードインデックスのサーチを行うことによって、復調されたマルチレートボコーダフレームが可変レートボコーダフレームを保持しているかどうかを判断するシステム弁別器と、
マルチレートボコーダフレームのカーゴを、可変レートボコーダフレームへ順序変更する結合器と、
可変レートボコーダフレームを復号するように構成された復号器とを含む装置。
【請求項７】
互換性のないシステム内で可変レートボコーダフレームを支援する装置であって、
受信したマルチレートボコーダフレームを復調する復調サブシステムと、
復調されたマルチレートボコーダフレームが可変レートボコーダフレームをカーゴとして保持しているかどうかを判断するシステム弁別器であって、ビットパターンのサーチを行うことによって、復調されたマルチレートボコーダフレームが可変レートボコーダフレームを保持しているかどうかを判断するシステム弁別器と、
マルチレートボコーダフレームのカーゴを、可変レートボコーダフレームへ順序変更する結合器と、
可変レートボコーダフレームを復号するように構成された復号器とを含む装置。
【請求項８】
互換性のないシステム内で可変レートボコーダフレームを支援する装置であって、
受信したマルチレートボコーダフレームを復調する復調サブシステムと、
復調されたマルチレートボコーダフレームが可変レートボコーダフレームをカーゴとして保持しているかどうかを判断するシステム弁別器であって、ブラインドレートのサーチを行うことによって、復調されたマルチレートボコーダフレームが可変レートボコーダフレームを保持しているかどうかを判断するシステム弁別器と、
マルチレートボコーダフレームのカーゴを、可変レートボコーダフレームへ順序変更する結合器と、
可変レートボコーダフレームを復号するように構成された復号器とを含む装置。
【請求項９】
互換性のないシステム内で可変レートボコーダフレームを支援する装置であって、
受信したマルチレートボコーダフレームを復調する復調サブシステムと、
復調されたマルチレートボコーダフレームが可変レートボコーダフレームをカーゴとして保持しているかどうかを判断するシステム弁別器であって、システム弁別器が、復調されたマルチレートボコーダフレームが可変レートボコーダフレームを保持していると判断すると、可変レートボコーダフレームのフレームタイプも判断するシステム弁別器と、
マルチレートボコーダフレームのカーゴを、可変レートボコーダフレームへ順序変更する結合器と、
可変レートボコーダフレームを復号するように構成された復号器とを含む装置。
【請求項１０】
システム弁別器が、復調されたマルチレートボコーダフレームのモードを判断することによって、可変レートボコーダフレームのフレームタイプを判断する請求項９記載の装置。
【請求項１１】
システム弁別器が、ビットパターンのサーチを行うことによって、可変レートボコーダフレームのフレームタイプを判断する請求項９記載の装置。
【請求項１２】
システム弁別器が、ブラインドレートの検出を行うことによって、可変レートボコーダフレームのフレームタイプを判断する請求項９記載の装置。
【請求項１３】
可変レートボコーダフレームをマルチレートボコーダフレームとして再フォーマットする方法であって、
受信した可変レートボコーダフレームのフレームタイプを識別することと、
受信した可変レートボコーダフレームのビットを順序変更することと、
マルチレートボコーダフレームを組立てることであって、順序変更されたビットがマルチレートボコーダフレームのカーゴを構成し、不変レートのモードインデックスをマルチレートボコーダフレームに付けることとを含む方法。
【請求項１４】
マルチレートボコーダフレームを組立てることが、不活動のビットパターンを、マルチレートボコーダフレームの別のカーゴとして埋め込むことを含み、不活動のビットパターンが、マルチレートボコーダフレーム内の可変レートボコーダフレームの存在を識別するためのものである請求項１３記載の方法。
【請求項１５】
可変レートボコーダフレームをマルチレートボコーダフレームとして再フォーマットする方法であって、
受信した可変レートボコーダフレームのフレームタイプを識別することと、
受信した可変レートボコーダフレームのビットを順序変更することと、
マルチレートボコーダフレームを組立てることであって、順序変更されたビットがマルチレートボコーダフレームのカーゴを構成し、不変レートのモードインデックスをマルチレートボコーダフレームに付けることとを含む方法。
【請求項１６】
マルチレートボコーダフレームを組立てることが、不活動のビットパターンを、マルチレートボコーダフレームの別のカーゴとして埋め込むことを含み、不活動のビットパターンが、可変レートボコーダフレームのフレームタイプを識別するためのものである請求項１５記載の方法。
【請求項１７】
可変レートのモードインデックスが、可変レートボコーダフレームのフレームタイプを示す請求項１５記載の方法。
【請求項１８】
互換性のないシステム内で可変レートボコーダフレームを支援する方法であって、
マルチレートボコーダフレームを受信することと、
モードインデックスの判断を行うことによって、マルチレートボコーダフレームが可変レートボコーダフレームのカーゴを保持しているかどうかを判断することと、
マルチレートボコーダフレームが、可変レートボコーダフレームのカーゴを保持しているときは、
可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項１９】
互換性のないシステム内で可変レートボコーダフレームを支援する方法であって、
マルチレートボコーダフレームを受信することと、
不活動のビットパターンのサーチを行うことによって、マルチレートボコーダフレームが可変レートボコーダフレームのカーゴを保持しているかどうかを判断することと、
マルチレートボコーダフレームが、可変レートボコーダフレームのカーゴを保持しているときは、
可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項２０】
互換性のないシステム内で可変レートボコーダフレームを支援する方法であって、
マルチレートボコーダフレームを受信することと、
ブラインドレートの検出を行うことによって、マルチレートボコーダフレームが可変レートボコーダフレームのカーゴを保持しているかどうかを判断することと、
マルチレートボコーダフレームが、可変レートボコーダフレームのカーゴを保持しているときは、
可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項２１】
互換性のないシステム内で可変レートボコーダフレームを支援する方法であって、
マルチレートボコーダフレームを受信することと、
マルチレートボコーダフレームが可変レートボコーダフレームのカーゴを保持しているかどうかを判断することと、
マルチレートボコーダフレームが、可変レートボコーダフレームのカーゴを保持しているときは、
モードインデックスの判断によって、可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項２２】
互換性のないシステム内で可変レートボコーダフレームを支援する方法であって、
マルチレートボコーダフレームを受信することと、
マルチレートボコーダフレームが可変レートボコーダフレームのカーゴを保持しているかどうかを判断することと、
マルチレートボコーダフレームが、可変レートボコーダフレームのカーゴを保持しているときは、
不活動ビットパターンのサーチによって、可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項２３】
互換性のないシステム内で可変レートボコーダフレームを支援する方法であって、
マルチレートボコーダフレームを受信することと、
マルチレートボコーダフレームが可変レートボコーダフレームのカーゴを保持しているかどうかを判断することと、
マルチレートボコーダフレームが、可変レートボコーダフレームのカーゴを保持しているときは、
ブラインドレートの判断によって、可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。
【請求項２４】
可変レートボコーダフレームをマルチレートボコーダフレームとして再フォーマットする装置であって、
受信した可変レートボコーダフレームのフレームタイプを識別する手段と、
受信した可変レートボコーダフレームのビットを順序変更する手段と、
マルチレートボコーダフレームを組立てる手段であって、順序変更されたビットがマルチレートボコーダフレームのカーゴを構成し、可変レートモードインデックスをマルチレートボコーダフレームに付ける手段とを含む装置。
【請求項２５】
互換性のないシステム内で可変レートボコーダフレームを支援する装置であって、
マルチレートボコーダフレームを受信する手段と、
マルチレートボコーダフレームが、可変レートボコーダフレームのカーゴを保持しているかどうかを判断する手段と、
マルチレートボコーダフレームが可変レートボコーダフレームのカーゴを保持しているときは、可変レートボコーダフレームのカーゴのフレームタイプを識別する手段であって、モードインデックスの判断を行う識別する手段と、
可変レートボコーダフレームのカーゴを、可変レートボコーダフレームへ順序変更する手段と、
可変レートボコーダフレームを復号する手段とを含む装置。
【請求項２６】
互換性のないシステム内で可変レートボコーダフレームの伝送を支援する装置であって、受信した可変レートボコーダフレームのフレームタイプを識別し、フレームタイプにしたがって、受信した可変レートボコーダフレームのビットを順序変更し、順序変更されたビットを使用して、マルチレートボコーダフレームを組立てるように構成されたインフラストラクチャ素子を含む装置。
【請求項２７】
インフラストラクチャ素子が、フレームタイプにしたがってマルチレートボコーダフレームを組立てるようにも構成されている請求項２６記載の装置。
【請求項２８】
可変レートボコーダフレームをマルチレートボコーダフレームとして再フォーマットする装置であって、
可変レートボコーダフレームのフレームタイプを識別するフレームタイプ識別器と、
フレームタイプにしたがって、可変レートボコーダフレームのビットを順序変更するように構成されたインフラストラクチャ素子と、
マルチレートボコーダフレームを組立てるフレーム生成器であって、マルチレートボコーダフレームのカーゴが、可変レートボコーダフレームの順序変更されたビットを含むフレーム生成器とを含む装置。
【請求項２９】
互換性のないシステム内で可変レートボコーダフレームを支援する装置であって、
受信したマルチレートボコーダフレームを復調する復調サブシステムと、
復調されたマルチレートボコーダフレームが可変レートボコーダフレームをカーゴとして保持しているかどうかを判断するシステム弁別器と、
マルチレートボコーダフレームのカーゴを、可変レートボコーダフレームへ順序変更する結合器と、
可変レートボコーダフレームを復号するように構成された復号器とを含む装置。
【請求項３０】
可変レートボコーダフレームをマルチレートボコーダフレームとして再フォーマットする方法であって、
受信した可変レートボコーダフレームのフレームタイプを識別することと、
受信した可変レートボコーダフレームのビットを順序変更することと、
マルチレートボコーダフレームを組立てることであって、順序変更されたビットがマルチレートボコーダフレームのカーゴを構成していることとを含む方法。
【請求項３１】
互換性のないシステム内で可変レートボコーダフレームを支援する方法であって、
マルチレートボコーダフレームを受信することと、
マルチレートボコーダフレームが、可変レートボコーダフレームのカーゴを保持しているかどうかを判断することと、
マルチレートボコーダフレームが、可変レートボコーダフレームのカーゴを保持しているときは、
可変レートボコーダフレームのカーゴのフレームタイプを識別することと、
可変レートボコーダフレームのカーゴを、可変レートボコーダフレームへ順序変更することと、
可変レートボコーダフレームを復号することとを含む方法。